(57)【要約】【課題】波長重複機能を有する光クロスコネクト装置を提供する。【解決手段】方路選択機能部、波長選択機能部、波長多重機能部の組み合わせにより、波長重複機能を備えたＵＮＩ側構成を実現する。実際には、（１）波長選択スイッチとマトリックススイッチとを組み合わせる、（２）ＡＷＧとマトリックススイッチとを組み合わせる、（３）マトリックス型の波長選択スイッチを用いる、などの方法により波長重複機能を備える。【選択図】図３
2008252664.tif 000002
【特許請求の範囲】
【請求項１】
複数の方路から波長多重信号を受信し、各波長の信号単位でクロスコネクトを行い、複数の方路に波長多重信号を送信する光クロスコネクト装置において、
光ネットワークに光信号を挿入する機能を有するＡｄｄ部を備え、
このＡｄｄ部は、Ａ個（Ａ≧１）の入力ポートから光信号を入力し、複数の光信号を波長多重して複数の出力ポートにこの波長多重信号を出力する手段を備え、
この出力する手段は、波長多重された前記光信号を所定の出力ポートに出力する手段を含む
ことを特徴とする光クロスコネクト装置。
【請求項２】
複数の方路から波長多重信号を受信し、各波長の信号単位でクロスコネクトを行い、複数の方路に波長多重信号を送信する光クロスコネクト装置において、
光ネットワークから光信号を抽出する機能を有するＤｒｏｐ部を備え、
このＤｒｏｐ部は、複数の入力ポートから波長多重信号を入力し、Ｂ個（Ｂ≧１）の出力ポートから波長分離された光信号を出力する手段を備え、
この出力する手段は、入力された前記波長多重信号の各波長の光信号を所定の出力ポートに出力する手段を含む
ことを特徴とする光クロスコネクト装置。
【請求項３】
複数の方路から波長多重信号を受信し、各波長の信号単位でクロスコネクトを行い、複数の方路に波長多重信号を送信する光クロスコネクト装置において、
ＮＮＩ(Network-Network-Interface)側から入力された光信号を、ＮＮＩ側の各出力方路およびＵＮＩ(User-Network-Interface)側へ分岐する光分岐器をＮＮＩ側からの入力方路毎に備え、
ＮＮＩ側への出力方路毎に前記光分岐器から分岐された各方路からの光信号を波長多重するｋ×１ポート型波長選択スイッチ（ｋは２以上の整数で、ＮＮＩ側方路数とＵＮＩ側分岐数との和）を備え、
このｋ×１ポート型波長選択スイッチは、複数の前記入力方路から分岐された光信号から各波長１つずつを選択して前記出力方路に送出する
ことを特徴とする光クロスコネクト装置。
【請求項４】
ＵＮＩ側に備えられた主信号ＩＦ部と、
このＵＮＩ側から入力される光信号をＮＮＩ側の所定の方路に出力し、ＮＮＩ側から入力される光信号をＮＮＩ側の所定の方路に出力する、または、ＵＮＩ側に切替えて前記主信号ＩＦに出力する方路切替機能部と、
ＮＮＩ側からＵＮＩ側に分岐またはＵＮＩ側からＮＮＩ側に挿入される光信号に対して波長分離または多重を行う波長多重分離機能部と、
前記主信号ＩＦにＮＮＩ側の所定の方路を割当てる方路選択機能部と、
前記主信号ＩＦにＮＮＩ側の所定の波長を割当てる波長選択機能部と、
前記方路選択機能部および前記波長選択機能部が複数有るときには、所定の前記主信号ＩＦを所定の前記方路選択機能部または前記波長選択機能部に結合させるポート選択機能部と
を備えた請求項１または２記載の光クロスコネクト装置。
【請求項５】
ＮＮＩ側から入力された光信号を、ＮＮＩ側の各出力方路およびＵＮＩ側へ分岐する光分岐器をＮＮＩ側からの入力方路毎に備え、
ＮＮＩ側への出力方路毎に前記光分岐器から分岐された各方路からの光信号を波長多重するｋ×１ポート型波長選択スイッチを備え、
このｋ×１ポート型波長選択スイッチは、複数の前記入力方路から分岐された光信号から各波長１つずつ選択して前記出力方路に送出する
請求項４記載の光クロスコネクト装置。
【請求項６】
前記方路切替機能部は、
ＮＮＩ側からの入力方路毎に備えられ、波長毎にＮＮＩ側の各出力方路またはＵＮＩ側への光信号切替えを行う１×ｋポート型波長選択スイッチと、
ＮＮＩ側への出力方路毎に備えられ、前記１×ｋポート型波長選択スイッチにより切替えられた各方路からの光信号を波長多重するｋ×１ポート型波長選択スイッチと
を備えた請求項４記載の光クロスコネクト装置。
【請求項７】
前記方路切替機能部によりＵＮＩ側に分岐もしくは分離された光信号に対し、方路毎にそれぞれ波長分離および波長選択を行うＭ個の１×ｎポート型波長選択スイッチ（ｎは１以上の整数で、１方路からＵＮＩ側に分岐する光信号波長数、Ｍは２以上の整数で、ＮＮＩ側方路数以上の整数）と、
Ｍ個の前記１×ｎポート型波長選択スイッチの出力がそれぞれ接続されるｎ個のＭ×Ｍポート型マトリクススイッチと、
このｎ個の前記Ｍ×Ｍポート型マトリクススイッチの出力がそれぞれ接続されるＭ個のｎ×ｎポート型マトリクススイッチと
を備えた請求項４記載の光クロスコネクト装置。
【請求項８】
前記方路切替機能部によりＵＮＩ側に分岐もしくは分離された光信号に対し、方路毎にそれぞれ波長分離を行う波長分離機能部と、
この波長多重分離機能部の出力が接続されるｎＭ×Ｃ（１≦Ｃ≦ｎＭ）ポート型マトリクススイッチと
を備えた請求項４記載の光クロスコネクト装置。
【請求項９】
前記方路切替機能部によりＵＮＩ側に分岐もしくは分離された光信号に対し、方路毎にそれぞれ波長分離を行う波長分離機能部と、
Ｍ個の前記１×ｎポート型波長選択スイッチの出力がそれぞれ接続されるｎ個の第一のＭ×Ｍポート型マトリクススイッチと、
このｎ個の前記第一のＭ×Ｍポート型マトリクススイッチの出力がそれぞれ接続されるＭ個のｎ×ｎポート型マトリクススイッチと、
Ｍ個の前記ｎ×ｎポート型マトリクススイッチの出力がそれぞれ接続されるｎ個の第二のＭ×Ｍポート型マトリクススイッチと
を備えた請求項４記載の光クロスコネクト装置。
【請求項１０】
前記方路切替機能部によりＵＮＩ側に分岐もしくは分離された光信号に対するｎ波長への波長分離またはｎＭ個の主信号ＩＦに対する方路割当またはｎＭ個の主信号ＩＦに対する波長割当を行うＭ×Ｃ（１≦Ｃ≦ｎＭ）ポート型波長選択スイッチを備えた請求項４記載の光クロスコネクト装置。
【請求項１１】
ｎＭ個の主信号ＩＦから入力される光信号に対して方路選択するＭ×Ｍポート型マトリクススイッチと、
前記Ｍ×Ｍポート型マトリクススイッチの出力がそれぞれ接続されるｎ×１ポート型波長選択スイッチと
を備え、
このｎ×１ポート型波長選択スイッチの出力が前記方路切替機能部に接続された
請求項４記載の光クロスコネクト装置。
【請求項１２】
ｎＭ個の主信号ＩＦから入力される光信号に対して方路選択および波長選択するｎＭ×Ｃ（１≦Ｃ≦ｎＭ）ポート型マトリクススイッチと、
このｎＭ×Ｃポート型マトリクススイッチの出力がそれぞれ接続されるＭ個の波長多重手段と
を備え、
前記波長多重手段の出力は、前記方路切替機能部に接続された
請求項４記載の光クロスコネクト装置。
【請求項１３】
ｎＭ個の主信号ＩＦから入力される光信号に対して波長選択を行うｎ×ｎポート型マトリクススイッチと、
このｎ×ｎポート型マトリクススイッチのそれぞれにポートが接続されたｎ個のＭ×Ｍポート型マトリクススイッチと、
このＭ×Ｍポート型マトリクススイッチのそれぞれにポートに接続されたＭ個の波長多重手段と
を備え、
前記波長多重手段の出力は、前記方路切替機能部に接続された
請求項４記載の光クロスコネクト装置。
【請求項１４】
ｎＭ個の主信号ＩＦから入力される光信号に対してｎ波長の波長多重およびＭ方路への方路選択およびｎポートの波長選択を行うＣ（１≦Ｃ≦ｎＭ）×Ｍポート型波長選択スイッチを備えた請求項４記載の光クロスコネクト装置。
【請求項１５】
複数の方路から波長多重信号を受信し、各波長の信号単位でクロスコネクトを行い、複数の方路に波長多重信号を送信する光クロスコネクト装置が行う光信号の方路選択方法において、
前記光クロスコネクト装置から光ネットワークに光信号を挿入するＡｄｄ部がＡ個（Ａ≧１）の入力ポートから光信号を入力し、複数の光信号を波長多重して複数の出力ポートにこの波長多重信号を出力し、波長多重された前記光信号は所定の出力ポートに出力される
ことを特徴とする光信号の方路選択方法。
【請求項１６】
複数の方路から波長多重信号を受信し、各波長の信号単位でクロスコネクトを行い、複数の方路に波長多重信号を送信する光クロスコネクト装置が行う光信号の方路選択方法において、
前記光クロスコネクト装置が光ネットワークから光信号を抽出するＤｒｏｐ部が、複数の入力ポートから波長多重信号を入力し、Ｂ個（Ｂ≧１）の出力ポートから波長分離された光信号を出力し、入力された前記波長多重信号の各波長の光信号は所定の出力ポートに出力される
ことを特徴とする光信号の方路選択方法。
【請求項１７】
複数の方路から波長多重信号を受信し、各波長の信号単位でクロスコネクトを行い、複数の方路に波長多重信号を送信する光クロスコネクト装置が行う光信号の方路選択方法において、
ＮＮＩ側から入力された光信号を、その入力方路毎にＮＮＩ側の各出力方路およびＵＮＩ側へ分岐し、
ＮＮＩ側への出力方路毎に前記光分岐器から分岐された各方路からの光信号を波長多重し、
複数の前記入力方路から分岐された光信号から各波長１つずつを選択して前記出力方路に送出する
ことを特徴とする光信号の方路選択方法。
【発明の詳細な説明】
【技術分野】
【０００１】
本発明は、光ネットワークに利用する。特に、波長重複機能を有する光クロスコネクト装置の構成技術に関する。
【背景技術】
【０００２】
１×ｋポート型波長選択スイッチ(Wavelength Selecting
Switch)は、１つの入力ポートに入力されたＷＤＭ光信号の任意の波長を、ｋポート出力の任意にポートに分離選択して出力することができるスイッチである。
【０００３】
逆に、ｋ×１ポート型波長選択スイッチはｋ個の入力ポートに入力されたＷＤＭ光信号の任意の波長を、１ポート出力に多重して出力することができるスイッチであり、ｋポートからの入力波長が重複すると、波長毎に何れか１つずつ選択して１ポート出力する（選択されなかった同一波長信号はスイッチ内でブロックされる）ものである。
【０００４】
一方、光クロスコネクト装置は、光信号の伝搬経路を切替えるスイッチ部を含むものであり、上記の１×ｋポート型波長選択スイッチとｋ×１ポート型波長選択スイッチとを対向に組み合わせて光クロスコネクト装置のスイッチ部を構成する方法や、光分岐器とｋ×１ポート型波長選択スイッチとを組み合わせてスイッチ部を構成する方法がある。
【０００５】
この従来例を図３７〜図４４に示す。図中の“Ｃｏｕｐｌｅ”は光分岐器を示し、“ＷＳＳ”は波長選択スイッチを示す。また、“Ｍ”はＭ個のポートを有することを示し、“ｎ”はｎ個のポートを有することを示す。なお、“Ｍ”の表記が付されている機能部の下段にある同一機能部については“Ｍ”の表記は省略したが、やはりＭ個のポートを有する。
【０００６】
図３７〜図４０は、方路選択性が無く、波長重複性が有り、方路毎にＡｄｄ／Ｄｒｏｐ用の波長選択スイッチを使用する例である。図４１〜図４４は、方路選択性が有り、波長重複性が無く、Ａｄｄ／Ｄｒｏｐ時に方路を跨ぐスイッチとして波長選択スイッチを使用する。ただし、同じノードから同一波長で別方路のＡｄｄ／Ｄｒｏｐは不可である。
【０００７】
【非特許文献１】Ｌｅｉ  Ｚｏｎｇ，Ｐｈｉｌｉｐ  Ｊｉ，Ｔｉｎｇ  Ｗａｎｇ，Ｏｓａｍｕ  Ｍａｔｓｕｄａ，Ｍｉｌｏｒａｄ  Ｃｖｉｊｅｔｉｃ，“Ｓｔｕｄｙ  ｏｎ  Ｗａｖｅｌｅｎｇｔｈ  Ｃｒｏｓｓ−Ｃｏｎｎｅｃｔ  Ｒｅａｌｉｚｅｄ  ｗｉｔｈ  Ｗａｖｅｌｅｎｇｔｈ  Ｓｅｌｅｃｔｉｖｅ  Ｓｗｉｔｃｈｅｓ”，Ｏｐｔｉｃａｌ  Ｆｉｂｅｒ  Ｃｏｍｍｕｎｉｃａｔｉｏｎｓ  ２００６．
【発明の開示】
【発明が解決しようとする課題】
【０００８】
光クロスコネクト装置に備える機能としては、ＮＮＩ(Network-Network-Interface)−ＮＮＩ間およびＮＮＩ−ＵＮＩ(User-Network-Interface)間の切替えを実現する方路切替機能に加え、ＵＮＩ側に分岐またはＵＮＩ側から挿入される信号に対し、クライアント側のどの入出力ＩＦ（主信号ＩＦ）をどの波長で用いるかを決める波長選択機能と、どの主信号ＩＦからの入力光信号をＮＮＩ側のどの方路に出力するか（ＮＮＩ側のどの方路からの入力信号をどの主信号ＩＦに出力するか）を選択する方路選択機能とに加え、異なる方路に出力（異なる方路から入力）される同一波長の光信号の同一ノード内での分岐挿入を許容するか否かを決める波長重複機能が必要となると考えられるが、これまで波長重複機能について検討がされていない。
【０００９】
例えば、非特許文献１に示すような光クロスコネクトのスイッチ部は、波長重複性の無い場合の構成であり、その場合の影響については、ＵＮＩ側に備えられる機能による管理または制御上の制限となって現れる。
【００１０】
従来の問題点を示す利害得失表を図４５に示す。図４５に示すように、波長重複性があると、動的パスが設定可能である。また、同一波長でのネットワーク冗長が可能となる。
【００１１】
本発明は、このような背景の下に行われたものであって、波長重複機能を有する光クロスコネクト装置を提供することを目的とする。さらに、波長重複機能を有する様々な仕様を容易に構成することができる光クロスコネクト装置を提供することを目的とする。
【課題を解決するための手段】
【００１２】
方路選択機能部、波長選択機能部、波長多重機能部の組み合わせにより、波長重複機能を備えたＵＮＩ側構成を実現する。実際には、（１）波長選択スイッチとマトリックススイッチとを組み合わせる、（２）ＡＷＧとマトリックススイッチとを組み合わせる、（３）マトリックス型の波長選択スイッチを用いる、などの方法により波長重複機能を備えることができる。
【００１３】
すなわち、本発明は、複数の方路から波長多重信号を受信し、各波長の信号単位でクロスコネクトを行い、複数の方路に波長多重信号を送信する光クロスコネクト装置であって、本発明の特徴とするところは、光ネットワークに光信号を挿入する機能を有するＡｄｄ部を備え、このＡｄｄ部は、Ａ個（Ａ≧１）の入力ポートから光信号を入力し、複数の光信号を波長多重して複数の出力ポートにこの波長多重信号を出力する手段を備え、この出力する手段は、波長多重された前記光信号を所定の出力ポートに出力する手段を含むところにある。
【００１４】
また、光ネットワークから光信号を抽出する機能を有するＤｒｏｐ部を備え、
このＤｒｏｐ部は、複数の入力ポートから波長多重信号を入力し、Ｂ個（Ｂ≧１）の出力ポートから波長分離された光信号を出力する手段を備え、この出力する手段は、入力された前記波長多重信号の各波長の光信号を所定の出力ポートに出力する手段を含むことを特徴とする。
【００１５】
このような構成とすることにより、波長によって定められている方路と、光信号が保持する方路情報によって定められている方路とを双方加味した方路選択を行うことができるため、同一波長で異なる方路に向けて光信号を送出することができる。
【００１６】
本発明の方路切替機能についてさらに詳細に説明すると、ＮＮＩ側から入力された光信号を、ＮＮＩ側の各出力方路およびＵＮＩ側へ分岐する光分岐器をＮＮＩ側からの入力方路毎に備え、ＮＮＩ側への出力方路毎に前記光分岐器から分岐された各方路からの光信号を波長多重するｋ×１ポート型波長選択スイッチ（ｋは２以上の整数で、ＮＮＩ側方路数とＵＮＩ側分岐数との和）を備え、このｋ×１ポート型波長選択スイッチは、複数の前記入力方路から分岐された光信号から各波長１つずつを選択して前記出力方路に送出することを特徴とする。
【００１７】
本発明の光クロスコネクト装置について、さらに、具体的に説明すると、例えば、ＵＮＩ側に備えられた主信号ＩＦ部と、このＵＮＩ側から入力される光信号をＮＮＩ側の所定の方路に出力し、ＮＮＩ側から入力される光信号をＮＮＩ側の所定の方路に出力する、または、ＵＮＩ側に切替えて前記主信号ＩＦに出力する方路切替機能部と、ＮＮＩ側からＵＮＩ側に分岐またはＵＮＩ側からＮＮＩ側に挿入される光信号に対して波長分離または多重を行う波長多重分離機能部と、前記主信号ＩＦにＮＮＩ側の所定の方路を割当てる方路選択機能部と、前記主信号ＩＦにＮＮＩ側の所定の波長を割当てる波長選択機能部と、前記方路選択機能部および前記波長選択機能部が複数有るときには、所定の前記主信号ＩＦを所定の前記方路選択機能部または前記波長選択機能部に結合させるポート選択機能部とを備えることができる。
【００１８】
あるいは、ＮＮＩ側から入力された光信号を、ＮＮＩ側の各出力方路およびＵＮＩ側へ分岐する光分岐器をＮＮＩ側からの入力方路毎に備え、ＮＮＩ側への出力方路毎に前記光分岐器から分岐された各方路からの光信号を波長多重するｋ×１ポート型波長選択スイッチを備え、このｋ×１ポート型波長選択スイッチは、複数の前記入力方路から分岐された光信号から各波長１つずつ選択して前記出力方路に送出することができる。
【００１９】
あるいは、前記方路切替機能部は、ＮＮＩ側からの入力方路毎に備えられ、波長毎にＮＮＩ側の各出力方路またはＵＮＩ側への光信号切替えを行う１×ｋポート型波長選択スイッチと、ＮＮＩ側への出力方路毎に備えられ、前記１×ｋポート型波長選択スイッチにより切替えられた各方路からの光信号を波長多重するｋ×１ポート型波長選択スイッチとを備えることができる。
【００２０】
あるいは、前記方路切替機能部によりＵＮＩ側に分岐もしくは分離された光信号に対し、方路毎にそれぞれ波長分離および波長選択を行うＭ個の１×ｎポート型波長選択スイッチ（ｎは１以上の整数で、１方路からＵＮＩ側に分岐する光信号波長数、Ｍは２以上の整数で、ＮＮＩ側方路数以上の整数）と、Ｍ個の前記１×ｎポート型波長選択スイッチの出力がそれぞれ接続されるｎ個のＭ×Ｍポート型マトリクススイッチと、このｎ個の前記Ｍ×Ｍポート型マトリクススイッチの出力がそれぞれ接続されるＭ個のｎ×ｎポート型マトリクススイッチとを備えることができる。
【００２１】
あるいは、前記方路切替機能部によりＵＮＩ側に分岐もしくは分離された光信号に対し、方路毎にそれぞれ波長分離を行う波長分離機能部と、この波長多重分離機能部の出力が接続されるｎＭ×Ｃ（１≦Ｃ≦ｎＭ）ポート型マトリクススイッチとを備えることができる。
【００２２】
あるいは、前記方路切替機能部によりＵＮＩ側に分岐もしくは分離された光信号に対し、方路毎にそれぞれ波長分離を行う波長分離機能部と、Ｍ個の前記１×ｎポート型波長選択スイッチの出力がそれぞれ接続されるｎ個の第一のＭ×Ｍポート型マトリクススイッチと、このｎ個の前記第一のＭ×Ｍポート型マトリクススイッチの出力がそれぞれ接続されるＭ個のｎ×ｎポート型マトリクススイッチと、Ｍ個の前記ｎ×ｎポート型マトリクススイッチの出力がそれぞれ接続されるｎ個の第二のＭ×Ｍポート型マトリクススイッチとを備えることができる。
【００２３】
あるいは、前記方路切替機能部によりＵＮＩ側に分岐もしくは分離された光信号に対するｎ波長への波長分離またはｎＭ個の主信号ＩＦに対する方路割当またはｎＭ個の主信号ＩＦに対する波長割当を行うＭ×Ｃ（１≦Ｃ≦ｎＭ）ポート型波長選択スイッチを備えることができる。
【００２４】
あるいは、ｎＭ個の主信号ＩＦから入力される光信号に対して方路選択するＭ×Ｍポート型マトリクススイッチと、前記Ｍ×Ｍポート型マトリクススイッチの出力がそれぞれ接続されるｎ×１ポート型波長選択スイッチとを備え、このｎ×１ポート型波長選択スイッチの出力が前記方路切替機能部に接続された構成とすることができる。
【００２５】
あるいは、ｎＭ個の主信号ＩＦから入力される光信号に対して方路選択および波長選択するｎＭ×Ｃ（１≦Ｃ≦ｎＭ）ポート型マトリクススイッチと、このｎＭ×Ｃポート型マトリクススイッチの出力がそれぞれ接続されるＭ個の波長多重手段とを備え、前記波長多重手段の出力は、前記方路切替機能部に接続された構成とすることができる。
【００２６】
あるいは、ｎＭ個の主信号ＩＦから入力される光信号に対して波長選択を行うｎ×ｎポート型マトリクススイッチと、このｎ×ｎポート型マトリクススイッチのそれぞれにポートが接続されたｎ個のＭ×Ｍポート型マトリクススイッチと、このＭ×Ｍポート型マトリクススイッチのそれぞれにポートに接続されたＭ個の波長多重手段とを備え、前記波長多重手段の出力は、前記方路切替機能部に接続された構成とすることができる。
【００２７】
あるいは、ｎＭ個の主信号ＩＦから入力される光信号に対してｎ波長の波長多重およびＭ方路への方路選択およびｎポートの波長選択を行うＣ（１≦Ｃ≦ｎＭ）×Ｍポート型波長選択スイッチを備えることができる。
【００２８】
また、本発明を光信号の方路選択方法としての観点から観ることもできる。すなわち、本発明、本発明の光クロスコネクト装置が行う光信号の方路選択方法であって、本発明の特徴とするところは、前記光クロスコネクト装置から光ネットワークに光信号を挿入するＡｄｄ部がＡ個（Ａ≧１）の入力ポートから光信号を入力し、複数の光信号を波長多重して複数の出力ポートにこの波長多重信号を出力し、波長多重された前記光信号は所定の出力ポートに出力されるところにある。
【００２９】
また、前記光クロスコネクト装置が光ネットワークから光信号を抽出するＤｒｏｐ部が、複数の入力ポートから波長多重信号を入力し、Ｂ個（Ｂ≧１）の出力ポートから波長分離された光信号を出力し、入力された前記波長多重信号の各波長の光信号は所定の出力ポートに出力されることを特徴とする。
【００３０】
本発明の方路切替方法についてさらに詳細に説明すると、ＮＮＩ側から入力された光信号を、その入力方路毎にＮＮＩ側の各出力方路およびＵＮＩ側へ分岐し、ＮＮＩ側への出力方路毎に前記光分岐器から分岐された各方路からの光信号を波長多重し、複数の前記入力方路から分岐された光信号から各波長１つずつを選択して前記出力方路に送出することを特徴とする。
【発明の効果】
【００３１】
本発明によれば、波長重複機能を有する光クロスコネクト装置を実現することができる。特に、方路選択機能部、波長選択機能部、波長多重機能部の組み合わせにより、波長重複機能を備えたＵＮＩ側構成を実現することができるため、様々な仕様の光クロスコネクト装置を容易に構成することができる。
【発明を実施するための最良の形態】
【００３２】
（はじめに）
発明の対象は、図１に示すような光ネットワーク１におけるノード装置としての光クロスコネクト装置２である。光クロスコネクト装置２に接続されたクライアント装置３間に光パス４を設定して光信号を伝達する。
【００３３】
複数のクライアント装置３間に光パス４を設定する場合には、クライアント装置３を収容している光クロスコネクト装置２には、光パス４の分岐または挿入機能が必要である。また、光パス４の中継点に位置している光クロスコネクト装置２では、異なる方路から別の異なる方路に向けた複数の光パス４を設定するためのクロスコネクト機能が必要である。
【００３４】
（第一実施例）
第一実施例の方路切替機能部およびＤｒｏｐ部およびＡｄｄ部の構成を図２〜図４を参照して説明する。本実施例の方路切替機能部１０は図２に示すとおり、入力方路毎に光分岐器または光スイッチ１１を用い、光信号の出力方路（ＵＮＩ側出力も含む）を選択または分離するものであり、出力方路毎に光スイッチ１２を用い、複数の入力方路（ＵＮＩ側入力も含む）からの光信号を選択または多重するものである。
【００３５】
ＮＮＩ側から入力され、ＮＮＩ側に出力される光信号に対してはこの方路切替機能部１０によってクロスコネクト機能が実現される。この際、光信号が波長多重（ＷＤＭ）信号である場合には、この光スイッチ１２は波長選択機能を備えたものが適用でき、波長分離または波長多重機能を兼ね備えることが考えられる。
【００３６】
一方、本発明の課題である波長重複機能を実現するためには、ＮＮＩ側から入力されたＵＮＩ側に出力される光信号ならびにＵＮＩ側から入力され、ＮＮＩ側に出力される光信号に対して実施される機能である図２におけるＤｒｏｐ部１３とＡｄｄ部１４とが重要である。
【００３７】
図３および図４では、そのＵＮＩ側機能として、波長選択機能部１５、方路選択機能部１６、波長多重分離機能部１７を備えることを示しており、それらの機能ブロックの組み合わせによって、波長重複機能が実現できる２つのパターンについて示している。また、各機能部を実現する部品の種類と点数の例を示している。これはあくまでも一例であり、複数の機能を同時に実現する部品も考えられるし、部品１個の規模を大きくして部品点数を減らすことも考えられる。
【００３８】
図３のパターン♯１は、波長選択機能部１５の前に方路選択機能部１６を備えた例である。図４のパターン♯２は、波長選択機能部１５の後に方路選択機能部１６を備えた例である。波長選択機能部１５は、どの主信号ＩＦ１９にどの波長を割当てるかを決める役割を果たし、方路選択機能部１６は、どの主信号ＩＦ１９にどの方路を割当てるかを決める役割を果たす。いずれの例でも方路切替機能部１２側に波長多重分離機能部１７を備え、主信号ＩＦ１９側にポート選択機能部１８を備える。
【００３９】
図３のパターン♯１の構成についてＤｒｏｐ部１３としての動作を説明すると、波長多重分離機能部１７は、光分岐器または光スイッチ１１から分岐出力された波長多重光信号を入力し、この波長多重光信号を波長毎に分離して波長選択機能部１５に渡す。波長選択機能部１５は、主信号ＩＦ１９に割当てられている波長に基づき、所定の方路選択機能部１６に光信号を出力する。方路選択機能部１６は、波長選択機能部１５から受け取った光信号をその方路情報（送信元アドレス、送信先アドレスなど）に基づき所定のポート選択機能部１８に出力する。ポート選択機能部１８は、方路選択機能部１６から受け取った光信号をその方路情報に基づき所定の主信号ＩＦ１９のポートに出力する。
【００４０】
次に、図３のパターン♯１の構成についてＡｄｄ部１４としての動作を説明すると、主信号ＩＦ１９の所定のポートから入力された光信号は、ポート選択機能部１８を経て方路選択機能部１６に入力される。方路選択機能部１６は、受け取った光信号の方路情報に基づき所定の波長選択機能部１５に光信号を出力する。この光信号を受け取った波長選択機能部１５は、その光信号の波長に基づき所定の波長多重分離機能部１７に光信号を出力する。この光信号は、波長多重分離機能部１７により他の光信号と共に波長多重されて光スイッチ１２に出力される。
【００４１】
なお、図４のパターン♯２では、上記説明の波長選択機能部１５および方路選択機能部１６の説明の順序を逆にする以外は図３のパターン♯１と同様に説明することができる。
【００４２】
すなわち、図４のパターン♯２の構成についてＤｒｏｐ部１３としての動作を説明すると、波長多重分離機能部１７は、光分岐器または光スイッチ１１から分岐出力された波長多重光信号を入力し、この波長多重光信号を波長毎に分離して方路選択機能部１６に渡す。方路選択機能部１６は、波長多重分離機能部１７から受け取った光信号をその方路情報（送信元アドレス、送信先アドレスなど）に基づき所定の波長選択機能部１５に渡す。波長選択機能部１５は、主信号ＩＦ１９に割当てられている波長に基づき、所定のポート選択機能部１８に出力する。ポート選択機能部１８は、波長選択機能部１５から受け取った光信号をその方路情報に基づき所定の主信号ＩＦ１９のポートに出力する。
【００４３】
次に、図４のパターン♯２の構成についてＡｄｄ部１４としての動作を説明すると、主信号ＩＦ１９の所定のポートから入力された光信号は、ポート選択機能部１８を経て波長選択機能部１５に入力される。波長選択機能部１５は、受け取った光信号の波長に基づき所定の方路選択機能部１６に光信号を出力する。方路選択機能部１６は、受け取った光信号の方路情報に基づき所定の波長多重分離機能部１７に光信号を出力する。この光信号は、波長多重分離機能部１７により他の光信号と共に波長多重されて光スイッチ１２に出力される。
【００４４】
これにより、波長による方路選択の他に方路情報による方路選択も併せて行うことができるため、同一波長の光信号の同一ノード内での分岐挿入を行う波長重複機能を実現することができる。
【００４５】
（第二実施例）
第二実施例の方路切替機能部の構成を図５および図６を参照して説明する。図５および図６は、光分岐器２０により光強度を分岐することにより、ＮＮＩ側出力方路またはＵＮＩ側への切替えを実現している。
【００４６】
図５は、ＮＮＩ側出力方路およびＵＮＩ側への切替え（分岐）を同時に行っている例であり、図６は、ＵＮＩ側およびＮＮＩ側への２分岐を光分岐器２０によって先に行い、ＮＮＩ側へ分岐された光信号を波長選択スイッチ２１によってＮＮＩ側の各方路へ切替えるという構成である。
【００４７】
ＮＮＩ側出力方路には波長選択スイッチ２１により各入力方路またはＵＮＩ側入力により導かれる光信号を選択切替して多重し、ＮＮＩ側に出力する構成である。
【００４８】
この構成は、光クロスコネクト装置を多段に経由する場合の波長選択スイッチ段数が、１ノードあたり１段で済む一方で、方路数が増加するにつれて分岐損が大きくなる特徴がある。
【００４９】
（第三実施例）
第三実施例の方路切替機能部の構成を図７を参照して説明する。図７は、ＮＮＩ側入力方路および出力方路毎に波長選択スイッチ２１を用いた構成である。この構成は、光信号の損失が方路数に依存しない一方で、光クロスコネクト装置の多段接続の場合には、１ノードあたり波長選択スイッチ段数が２段となるため、光信号への影響が第二実施例の場合と異なるという特徴がある。
【００５０】
（第四実施例）
第四実施例のＤｒｏｐ部およびＡｄｄ部の構成を図８および図９を参照して説明する。図８は第四実施例のＤｒｏｐ部およびＡｄｄ部のブロック構成図であり、図９は構成概念図である。図８および図９は、説明のため、ＮＮＩ側方路数をＭとし、１方路あたりのＵＮＩ側への分岐（Ｄｒｏｐ）波長数をｎとする。なお、図８のブロック構成を立体的に描いたものが図９である。
【００５１】
まず、ＮＮＩ側からＵＮＩ側への光分岐の場合について説明する。ＮＮＩ側の各方路毎にＵＮＩ側に分岐された光信号に対し、各方路毎に波長多重分離波長選択スイッチ３０を用いて波長多重および波長選択を行う。よって、この際に用いる波長多重分離波長選択スイッチ３０のポート数はそれぞれ１×ｎポートであり、それがＭ個用いられる。そのＭ個の波長多重分離波長選択スイッチ３０の１ポートずつを接続するようなＭ×Ｍポート型のマトリクススイッチを方路選択機能部１６として用いることにより方路選択を行う。
【００５２】
Ｍ個の波長多重分離波長選択スイッチ３０にはそれぞれｎポートずつ備わっているので、Ｍ×Ｍポート型マトリクススイッチである方路選択機能部１６は全部でｎ個用いることになる。これにより、主信号ＩＦはｎ×Ｍ個となり、任意の主信号ＩＦに任意の波長および任意の方路の光信号を出力できる。仮に、Ｍ方路の全てから同一波長がＤｒｏｐされる場合でも、それぞれ別のＭ個の主信号ＩＦに出力させることができるため、波長重複性が完全に保証される。
【００５３】
逆にＵＮＩ側からＵＮＩ側への光挿入の場合についても同様である。任意の主信号ＩＦに入力された任意の波長の光信号は、まずＭ×Ｍポート型マトリクススイッチである方路選択機能部１６によりいずれの方路に出力されるかが選択される。その後、ｎ×１ポートの波長多重分離波長選択スイッチ３０により、波長に依存することなく多重されて、所望の方路に挿入される。この場合も、仮にＭ系列の同一波長の信号をＭ個の主信号ＩＦに入力したとしても、それぞれ別の方路に出力させることができるため、波長重複性が完全に保証される。
【００５４】
ここで、Ｍ×Ｍスイッチｎ個は、２Ｍ×２Ｍスイッチｎ／２個等の構成でもよく、１個の部品の規模と使用数との組み合わせはいろいろ考えられる。さらに、本実施例では、全ての方路でｎ波長の挿入または分岐が行われる場合を示したが、各方路で挿入または分岐する波長数が異なっていてもよく、例えば、ある方路ではｎ’波長を挿入する場合には、使用する波長選択スイッチおよびマトリクススイッチは、１×ｎ’型波長選択スイッチ（ｎ’＜ｎ）やＭ×Ｍ’ポート型マトリクススイッチ（１≦Ｍ’＜Ｍ）などでもよい。これらの点は、以下の実施例でも同じである。
【００５５】
（第五実施例）
第五実施例のＤｒｏｐ部およびＡｄｄ部の構成を図１０〜図１３を参照して説明する。図１０および図１２は第五実施例のＤｒｏｐ部およびＡｄｄ部のブロック構成図であり、図１１および図１３は構成概念図である。なお、図１０および図１２のブロック構成を立体的に描いたものが図１１および図１３である。
【００５６】
図１０および図１１は、波長多重分離機能部１７をアレイ導波路格子（ＡＷＧ）によって実現しており、ＡＷＧには波長選択機能が無いため、波長選択兼方路選択を担うマトリクススイッチ４０を用いる構成である。よって、マトリクススイッチ１台でこの機能を担う場合には、ｎＭ×Ｃ（１≦Ｃ≦ｎＭ）ポート型のものが必要である。なお、マトリクススイッチ４０はポート選択機能を包含している。
【００５７】
また、図１２および図１３は、第四実施例で説明した波長多重分離波長選択スイッチ３０にポート選択機能を包含した方路選択機能部４１を組み合わせた例である。
【００５８】
（第六実施例）
第六実施例のＤｒｏｐ部およびＡｄｄ部の構成を図４および図１４を参照して説明する。図４は第一実施例のＤｒｏｐ部およびＡｄｄ部のブロック構成図であるが第六実施例と共通である。また、図１４は構成概念図である。なお、図４のブロック構成を立体的に描いたものが図１４である。
【００５９】
第五実施例では、波長選択機能と方路選択機能とを１個のマトリクススイッチで実現したのに対し、本実施例では各機能を別のマトリクススイッチで担うものとして、１個の部品規模を小さくした構成である。第五実施例に比べて部品点数は多くなるが、全体での部品規模は少なくできる。
【００６０】
（第七実施例）
第七実施例のＤｒｏｐ部およびＡｄｄ部の構成を図１５および図１６を参照して説明する。図１５は第七実施例のＤｒｏｐ部およびＡｄｄ部のブロック構成図である。また、図１６は構成概念図である。なお、図１５のブロック構成を立体的に描いたものが図１６である。
【００６１】
図１５および図１６は、波長選択機能、方路選択機能、波長多重分離機能を１個の波長選択スイッチ５０で実現できるような、マトリクス型の波長選択スイッチを用いている。
【００６２】
（第八実施例）
第八実施例の方路切替機能部およびＤｒｏｐ部およびＡｄｄ部の構成を図１７〜図２６に示す。図１７〜図２６は、図５〜図１６を組み合わせた構成である。図１７および図１８は、図１５および図１６のＵＮＩ側構成を用いた場合である。図１９および図２０は、図４および図１４のＵＮＩ側構成を用いた場合である。図２１および図２２は、図８および図９のＵＮＩ側構成を用いた場合である。
【００６３】
図２１および図２２の方路切替機能部の波長選択スイッチは、ＵＮＩ側構成時に用いる波長選択スイッチと一体になった構成であり、図１９および図２０の波長選択スイッチと比べて必要ポート数が多くなっている。つまり、図１９および図２０の波長選択スイッチ１個は方路数＋１（ＵＮＩ側分岐数）程度のポートを備えればよい。図２１および図２２の波長選択スイッチ１個は方路数＋波長数ｎのポートを備える必要がある。一方で、図２１および図２２はマトリクススイッチ数が少なく、損失などの点で有利である。
【００６４】
図２３および図２４、図２５および図２６は、それぞれ図１０〜図１３のＵＮＩ構成を用いた場合である。マトリクススイッチの数が少なくて済むが、大規模化が必要である。ポート選択機能を制限する場合は、マトリクススイッチは分割することができる。
【００６５】
（第九実施例）
図２７〜図３６は、第八実施例で説明した図１７〜図２６のそれぞれについて、ネットワーク冗長を考慮した場合の構成例である。図２７および図２８は、マトリクス型の波長選択スイッチ自体を冗長化する必要があるため、交絡冗長構成が考えられ、方路切替機能部の波長選択スイッチポート数は、非冗長構成の場合に比べて約２倍必要となる。
【００６６】
図２９および図３０、図３１および図３２の構成は、マトリクススイッチを複数用いており、別の部品を経由するようにネットワーク冗長をとることができるので、冗長を考える場合にも構成変更は伴わない。
【００６７】
図３５および図３６は、図２７および図２８と同様に、交絡冗長構成である。図３３および図３４は、マトリクススイッチ自体を部品冗長化する必要があり、Ｄｉｓ(Distributor)／Ｓｅｌ(Selector)部品数が増大するが、多ポートの波長選択スイッチを必要としない。
【産業上の利用可能性】
【００６８】
本発明によれば、波長重複機能を有する様々な仕様の光クロスコネクト装置を容易に実現することができため、低コストで高効率に光ネットワークにおける通信品質の向上を図ることができる。
【図面の簡単な説明】
【００６９】
【図１】発明の対象となる光ネットワークを示す図。
【図２】第一実施例の方路切替機能部の構成図。
【図３】第一実施例のパターン♯１のＤｒｏｐ部およびＡｄｄ部の構成図。
【図４】第一実施例のパターン♯２のＤｒｏｐ部およびＡｄｄ部の構成図。
【図５】第二実施例の方路切替機能部の構成図。
【図６】第二実施例の方路切替制御部の構成概念図。
【図７】第三実施例の方路切替機能部の構成図。
【図８】第四実施例のＤｒｏｐ部およびＡｄｄ部の構成図。
【図９】第四実施例のＤｒｏｐ部およびＡｄｄ部の構成概念図。
【図１０】第五実施例のＤｒｏｐ部およびＡｄｄ部の構成図（その１）。
【図１１】第五実施例のＤｒｏｐ部およびＡｄｄ部の構成概念図（その１）。
【図１２】第五実施例のＤｒｏｐ部およびＡｄｄ部の構成図（その２）。
【図１３】第五実施例のＤｒｏｐ部およびＡｄｄ部の構成概念図（その２）。
【図１４】第六実施例のＤｒｏｐ部およびＡｄｄ部の構成概念図。
【図１５】第七実施例のＤｒｏｐ部およびＡｄｄ部の構成図。
【図１６】第七実施例のＤｒｏｐ部およびＡｄｄ部の構成概念図。
【図１７】第八実施例の方路切替機能部およびＤｒｏｐ部およびＡｄｄ部の構成図（その１）。
【図１８】第八実施例の方路切替機能部およびＤｒｏｐ部およびＡｄｄ部の構成図（その２）。
【図１９】第八実施例の方路切替機能部およびＤｒｏｐ部およびＡｄｄ部の構成図（その３）。
【図２０】第八実施例の方路切替機能部およびＤｒｏｐ部およびＡｄｄ部の構成図（その４）。
【図２１】第八実施例の方路切替機能部およびＤｒｏｐ部およびＡｄｄ部の構成図（その５）。
【図２２】第八実施例の方路切替機能部およびＤｒｏｐ部およびＡｄｄ部の構成図（その６）。
【図２３】第八実施例の方路切替機能部およびＤｒｏｐ部およびＡｄｄ部の構成図（その７）。
【図２４】第八実施例の方路切替機能部およびＤｒｏｐ部およびＡｄｄ部の構成図（その８）。
【図２５】第八実施例の方路切替機能部およびＤｒｏｐ部およびＡｄｄ部の構成図（その９）。
【図２６】第八実施例の方路切替機能部およびＤｒｏｐ部およびＡｄｄ部の構成図（その１０）。
【図２７】第九実施例の方路切替機能部およびＤｒｏｐ部およびＡｄｄ部の構成図（その１）。
【図２８】第九実施例の方路切替機能部およびＤｒｏｐ部およびＡｄｄ部の構成図（その２）。
【図２９】第九実施例の方路切替機能部およびＤｒｏｐ部およびＡｄｄ部の構成図（その３）。
【図３０】第九実施例の方路切替機能部およびＤｒｏｐ部およびＡｄｄ部の構成図（その４）。
【図３１】第九実施例の方路切替機能部およびＤｒｏｐ部およびＡｄｄ部の構成図（その５）。
【図３２】第九実施例の方路切替機能部およびＤｒｏｐ部およびＡｄｄ部の構成図（その６）。
【図３３】第九実施例の方路切替機能部およびＤｒｏｐ部およびＡｄｄ部の構成図（その７）。
【図３４】第九実施例の方路切替機能部およびＤｒｏｐ部およびＡｄｄ部の構成図（その８）。
【図３５】第九実施例の方路切替機能部およびＤｒｏｐ部およびＡｄｄ部の構成図（その９）。
【図３６】第九実施例の方路切替機能部およびＤｒｏｐ部およびＡｄｄ部の構成図（その１０）。
【図３７】従来例の方路切替機能部およびＤｒｏｐ部およびＡｄｄ部の構成図（その１）。
【図３８】従来例の方路切替機能部およびＤｒｏｐ部およびＡｄｄ部の構成図（その２）。
【図３９】従来例の方路切替機能部およびＤｒｏｐ部およびＡｄｄ部の構成図（その３）。
【図４０】従来例の方路切替機能部およびＤｒｏｐ部およびＡｄｄ部の構成図（その４）。
【図４１】従来例の方路切替機能部およびＤｒｏｐ部およびＡｄｄ部の構成図（その５）。
【図４２】従来例の方路切替機能部およびＤｒｏｐ部およびＡｄｄ部の構成図（その６）。
【図４３】従来例の方路切替機能部およびＤｒｏｐ部およびＡｄｄ部の構成図（その７）。
【図４４】従来例の方路切替機能部およびＤｒｏｐ部およびＡｄｄ部の構成図（その８）。
【図４５】従来の問題点を示す利害得失表を示す図。
【符号の説明】
【００７０】
１  光ネットワーク
２  光クロスコネクト装置
３  クライアント装置
１０  方路切替機能部
１１  光分岐器または光スイッチ
１２  光スイッチ
１３  Ｄｒｏｐ部
１４  Ａｄｄ部
１５  波長選択機能部
１６、４１  方路選択機能部
１７  波長多重分離機能部
１８  ポート選択機能部
１９  主信号ＩＦ
２０  光分岐器（Ｃｏｕｐｌｅ）
２１、５０  波長選択スイッチ（ＷＳＳ）
３０  波長多重分離波長選択スイッチ
４０  マトリクススイッチ
【図１】
2008252664.tif 000003
【図２】
2008252664.tif 000004
【図３】
2008252664.tif 000005
【図４】
2008252664.tif 000006
【図５】
2008252664.tif 000007
【図６】
2008252664.tif 000008
【図７】
2008252664.tif 000009
【図８】
2008252664.tif 000010
【図９】
2008252664.tif 000011
【図１０】
2008252664.tif 000012
【図１１】
2008252664.tif 000013
【図１２】
2008252664.tif 000014
【図１３】
2008252664.tif 000015
【図１４】
2008252664.tif 000016
【図１５】
2008252664.tif 000017
【図１６】
2008252664.tif 000018
【図１７】
2008252664.tif 000019
【図１８】
2008252664.tif 000020
【図１９】
2008252664.tif 000021
【図２０】
2008252664.tif 000022
【図２１】
2008252664.tif 000023
【図２２】
2008252664.tif 000024
【図２３】
2008252664.tif 000025
【図２４】
2008252664.tif 000026
【図２５】
2008252664.tif 000027
【図２６】
2008252664.tif 000028
【図２７】
2008252664.tif 000029
【図２８】
2008252664.tif 000030
【図２９】
2008252664.tif 000031
【図３０】
2008252664.tif 000032
【図３１】
2008252664.tif 000033
【図３２】
2008252664.tif 000034
【図３３】
2008252664.tif 000035
【図３４】
2008252664.tif 000036
【図３５】
2008252664.tif 000037
【図３６】
2008252664.tif 000038
【図３７】
2008252664.tif 000039
【図３８】
2008252664.tif 000040
【図３９】
2008252664.tif 000041
【図４０】
2008252664.tif 000042
【図４１】
2008252664.tif 000043
【図４２】
2008252664.tif 000044
【図４３】
2008252664.tif 000045
【図４４】
2008252664.tif 000046
【図４５】
2008252664.tif 000047